(57)【要約】【課題】  送信処理部の負荷を増加させることなく、ホットプラグ信号の変化を確実に検出できるホットプラグ信号検出装置を提供すること。【解決手段】  制御部１４のＡＤ入力端子ＡＤ１にシンク機器２からのホットプラグ信号が入力され、ホットプラグ信号をＡＤ変換して、デジタル値からハイレベルまたはローレベルを判断しているので、ホットプラグ検出回路が不要になり、回路構成を簡略化できる。また、ホットプラグ信号のローレベルがＴｏｕｔよりも小さい場合は、ローレベルをＴｏｕｔまで延長して出力しているので、送信処理部１４はホットプラグ信号を検出する周期を短くすることなく、確実にローレベルを検出することができる。【選択図】図２
2007329594.tif 000002
【特許請求の範囲】
【請求項１】
外部機器からのＨＤＭＩ規格またはＤＶＩ規格のホットプラグ信号が入力されるＡＤ入力端子、および、該入力されたホットプラグ信号に応答してホットプラグ信号を出力するためのホットプラグ出力端子を有する制御手段と、
該ホットプラグ出力端子に接続されており該ホットプラグ出力端子からのホットプラグ信号が入力されるホットプラグ入力端子を有し、該ホットプラグ入力端子に入力されたホットプラグ信号のハイレベルまたはローレベルを検出する送信処理手段とを備え、
該制御手段が、該ＡＤ入力端子に入力されたホットプラグ信号をデジタル値に変換し、該デジタル値を所定の閾値と比較することにより該入力されたホットプラグ信号のレベルを検出するレベル検出手段と、
該入力されたホットプラグ信号の一方のレベルの期間が所定期間以上であるか否かを判断する判断手段と、
該入力されたホットプラグ信号の該一方のレベルの期間が該所定期間以上である場合に、該一方のレベルの期間を変更せずに該一方のレベルのホットプラグ信号を出力し、該入力されたホットプラグ信号の該一方のレベルの期間が該所定期間未満である場合に、該一方のレベルの期間を該所定期間に変更して該一方のレベルのホットプラグ信号を出力するホットプラグ信号出力手段とを有する、ホットプラグ信号検出装置。
【請求項２】
前記ホットプラグ出力端子と前記ホットプラグ入力端子との間に、前記制御手段から出力されるホットプラグ信号の電圧値を変換する電圧変換手段が接続されている、請求項１に記載のホットプラグ信号検出装置。
【請求項３】
前記レベル検出手段が、ホットプラグ信号が前記一方のレベルに反転したことを検出する際に、複数回連続して該一方のレベルを検出して初めて、該一方のレベルに反転したことを判断する、請求項１または２に記載のホットプラグ信号検出装置。
【請求項４】
ホットプラグ信号の前記一方のレベルがローレベルであり、他方のレベルがハイレベルである、請求項１〜３のいずれかに記載のホットプラグ信号検出装置。
【請求項５】
請求項１〜４のいずれかに記載のホットプラグ信号検出装置を備える、ソース機器。
【請求項６】
請求項１〜４のいずれかに記載のホットプラグ信号検出装置を備える、リピータ機器。
【請求項７】
外部機器からのＨＤＭＩ規格またはＤＶＩ規格のホットプラグ信号が入力されるＡＤ入力端子、および、該入力されたホットプラグ信号に応答してホットプラグ信号を出力するためのホットプラグ出力端子を有する制御手段と、
該ホットプラグ出力端子に接続されており該ホットプラグ出力端子からのホットプラグ信号が入力されるホットプラグ入力端子を有し、該ホットプラグ入力端子に入力されたホットプラグ信号のハイレベルまたはローレベルを検出する送信処理手段とを備え、
該制御手段が、該ＡＤ入力端子に入力されたホットプラグ信号をデジタル値に変換し、該デジタル値を所定の閾値と比較することにより該入力されたホットプラグ信号のレベルを検出するレベル検出手段と、
該レベル検出手段が一方のレベルを検出した際に、該一方のレベルのホットプラグ信号を該送信処理手段に出力するホットプラグ信号出力手段とを有する、ホットプラグ信号検出装置。
【請求項８】
外部機器からのＨＤＭＩ規格またはＤＶＩ規格のホットプラグ信号が入力される入力端子、および、該入力されたホットプラグ信号に応答してホットプラグ信号を出力するためのホットプラグ出力端子を有する制御手段と、
該ホットプラグ出力端子に接続されており該ホットプラグ出力端子からのホットプラグ信号が入力されるホットプラグ入力端子を有し、該ホットプラグ入力端子に入力されたホットプラグ信号のハイレベルまたはローレベルを検出する送信処理手段とを備え、
該制御手段が、該入力端子に入力されたホットプラグ信号のレベルを検出するレベル検出手段と、
該入力されたホットプラグ信号の一方のレベルの期間が所定期間以上であるか否かを判断する判断手段と、
該入力されたホットプラグ信号の該一方のレベルの期間が該所定期間以上である場合に、該一方のレベルの期間を変更せずに該一方のレベルのホットプラグ信号を出力し、該入力されたホットプラグ信号の該一方のレベルの期間が該所定期間未満である場合に、該一方のレベルの期間を該所定期間に変更して該一方のレベルのホットプラグ信号を出力するホットプラグ信号出力手段とを有する、ホットプラグ信号検出装置。
【発明の詳細な説明】
【技術分野】
【０００１】
本発明は、シンク機器またはリピータ機器から出力されるホットプラグ信号を検出するホットプラグ信号検出装置およびホットプラグ信号検出装置を備えるソース機器ならびにリピータ機器に関する。
【背景技術】
【０００２】
近年、映像データや音声データといったコンテンツデータを供給するソース機器と、コンテンツデータを受け取るシンク機器やリピータ機器といった受信機器とで構成されるＡＶシステムが普及している。ソース機器は、たとえば、ＤＶＤ（Digital Versatile Disk）プレーヤや、ＢＤ（Blue-ray Disc）プレーヤ、ＨＤＤＶＤ（High
Definition DVD）プレーヤ、ＣＤプレーヤ等である。また、シンク機器は、たとえば、ＬＣＤ（Liquid Crystal Display）、ＰＤＰ（Plasma Display Panel）、プロジェクタ等である。リピータ機器は、たとえば、ＡＶアンプや、ＡＶレシーバである。これらの機器は、ＨＤＭＩ規格に準拠しており、ＨＤＭＩケーブルを介して相互に接続される。
【０００３】
シンク機器であるＰＤＰとソース機器であるＤＶＤプレーヤとが接続される場合を例に説明すると、ＤＶＤプレーヤは、ＰＤＰから出力されるホットプラグ信号を検出するホットプラグ信号検出装置を備えている。ＰＤＰからＤＶＤプレーヤに設定変更（例えば、スタンバイ、セレクタの切換、ＨＤＭＩリンクの切断等）を通知する場合、ＰＤＰはホットプラグ信号をハイレベルからローレベルに反転させたあと、再びハイレベルに反転させる。ＤＶＤプレーヤは、ホットプラグ信号がローレベルに反転するとＨＤＭＩリンクの切断処理を実行し、ハイレベルに反転したことを検出すると、ＰＤＰの設定が変更されたことを認識し、ＰＤＰから各情報（例えば、ＥＤＩＤ等）を取得し、ＨＤＭＩの設定を行い、ＨＤＭＩリンクを確立する等の必要な処理を実行する。
【０００４】
図５は、従来のＤＶＤプレーヤのホットップラグ信号検出装置を示すブロック図である。送信処理部４１は、図示しないドライブによってＤＶＤディスクから読み出された映像データおよび音声データをＨＤＭＩ規格のデータ（以下、ＨＤＭＩデータという）に変換して、ＴＭＤＳチャネルを介してＰＤＰに送信する。
【０００５】
また、送信処理部４１は、ホットプラグ検出回路４３および抵抗Ｒ２８、Ｒ２９を介してコネクタ４４に接続されている。ＰＤＰから出力されるホットプラグ信号がハイレベルからローレベルに反転すると、ホットプラグ検出回路４３はホットプラグ信号がローレベルに反転したことを検出して、ローレベルのホットプラグ信号を送信処理部４１のホットプラグ入力端子ＨＰＤｉｎに出力する。送信処理部４１は、ＨＰＤｉｎに入力されたホットプラグ信号に基づいて、ホットプラグ信号がローレベルに反転したことを検出し、必要な処理を実行する。
【０００６】
ホットプラグ信号のハイレベルは２．０Ｖ〜５．３Ｖであり、ローレベルは２．０Ｖ未満であり、これらの電圧値はシンク機器によって異なっている。送信処理部４１においては、ホットプラグ信号のハイレベルまたはローレベルを検出できるように、ホットプラグ入力端子ＨＰＤｉｎに所定のハイレベルまたは所定のローレベルの２値のホットプラグ信号が入力される必要がある。そのため、どのような電圧のホットプラグ信号を出力するシンク機器が接続されても送信処理部４１がハイレベルまたはローレベルを検出できるように、ホットプラグ信号の電圧がハイレベルの範囲であるのか、ローレベルの範囲であるのかを検出し、所定のハイレベルまたは所定のローレベルの２値のホットプラグ信号を送信処理部４１に出力するホットプラグ検出回路４３が必要である。ホットプラグ検出回路４３は、例えば図６に示すとおり、インバータ回路によって構成されている。
【０００７】
送信処理部４１はＭＰＥＧチップによって構成されており、コンテンツデータをＨＤＭＩデータに変換する処理の他に、ドライブの制御、ＤＶＤディスクから読み出したＭＰＥＧデータのデコード処理、制御部４２との通信等の様々な処理を実行する必要があり、複数の処理を並列して処理すると、送信処理部４１の負荷が非常に大きくなる。そのため、負荷を軽減することを目的として、ホットプラグ入力端子ＨＰＤｉｎに入力されるホットプラグ信号を検出する間隔（周期）を大きくしている。例えば、ホットプラグ信号を検出する周期は２００ｍｓに設定されている。この場合、シンク機器が１００ｍｓの期間のローレベルのホットプラグ信号を出力すると、送信処理部４１はホットプラグ信号がローレベルに反転したことを検出し損なう可能性がある。ホットプラグ信号の変化を検出できないと、ＨＤＭＩ規格に基づく動作を正確に実行できなくなり、シンク機器とソース機器との間でコンテンツデータを送信できない、または、各種設定を反映できない等の問題が生じる。また、送信処理部４１が短い周期でホットプラグ信号を検出するようにすれば、このような問題は解決できるが、一方で送信処理部４１の負荷が大きくなるという問題がある。
【０００８】
また、シンク機器であるＰＤＰとリピータ機器であるＡＶアンプとが接続される場合には、ＡＶアンプがＰＤＰから出力されるホットプラグ信号を検出するホットプラグ信号検出装置を備えており、上記と同様に、ホットプラグ信号を検出する。
【０００９】
【特許文献１】特開２００４−１５１０４号
【発明の開示】
【発明が解決しようとする課題】
【００１０】
本発明の目的は、送信処理部の負荷を増加させることなく、ホットプラグ信号の変化を確実に検出できるホットプラグ信号検出装置を提供することである。
【００１１】
本発明の別の目的は、ホットプラグ検出回路を別途設けることなく、ホットプラグ信号を検出できるホットプラグ検出装置を提供することである。
【課題を解決するための手段】
【００１２】
本発明の好ましい実施形態によるホットプラグ検出装置は、外部機器からのＨＤＭＩ規格またはＤＶＩ規格のホットプラグ信号が入力されるＡＤ入力端子、および、該入力されたホットプラグ信号に応答してホットプラグ信号を出力するためのホットプラグ出力端子を有する制御手段と、該ホットプラグ出力端子に接続されており該ホットプラグ出力端子からのホットプラグ信号が入力されるホットプラグ入力端子を有し、該ホットプラグ入力端子に入力されたホットプラグ信号のハイレベルまたはローレベルを検出する送信処理手段とを備える。該制御手段は、該ＡＤ入力端子に入力されたホットプラグ信号をデジタル値に変換し、該デジタル値を所定の閾値と比較することにより該入力されたホットプラグ信号のレベルを検出するレベル検出手段と、  該入力されたホットプラグ信号の一方のレベルの期間が所定期間以上であるか否かを判断する判断手段と、該入力されたホットプラグ信号の該一方のレベルの期間が該所定期間以上である場合に、該一方のレベルの期間を変更せずに該一方のレベルのホットプラグ信号を出力し、該入力されたホットプラグ信号の該一方のレベルの期間が所定期間未満である場合に、該一方のレベルの期間を該所定期間に変更して該一方のレベルのホットプラグ信号を出力するホットプラグ信号出力手段とを有する。
【００１３】
好ましい実施形態においては、上記ホットプラグ出力端子と上記ホットプラグ入力端子との間に、上記制御手段から出力されるホットプラグ信号の電圧値を変換する電圧変換手段が接続されている。
【００１４】
好ましい実施形態においては、上記レベル検出手段は、ホットプラグ信号が上記一方のレベルに反転したことを検出する際に、複数回連続して該一方のレベルを検出して初めて、該一方のレベルに反転したことを検出する。
【００１５】
好ましい実施形態においては、ホットプラグ信号の上記一方のレベルがローレベルであり、他方のレベルがハイレベルである。
【００１６】
本発明の好ましい実施形態によるソース機器およびリピータ機器は、上記のホットプラグ信号検出装置を備える。
【発明の効果】
【００１７】
制御手段は、ＡＤ入力端子に外部機器（例えば、シンク機器またはリピータ機器）からのホットプラグ信号が入力されると、ホットプラグ信号をＡＤ変換して、デジタル値に基づいてハイレベルまたはローレベルを判断する。従って、外部機器の出力するホットプラグ信号のハイレベルまたはローレベルは外部機器によって異なるが、制御手段によってホットプラグ信号のハイレベルまたはローレベルを検出することができる。従って、従来のホットプラグ検出回路を別途設ける必要がなく、回路構成を簡略化できる。また、ホットプラグ信号の一方のレベル（例えば、ローレベル）の期間が所定期間よりも短い場合は、ローレベルを所定期間まで延長してホットプラグ信号を出力する。その結果、送信処理手段は、ホットプラグ信号を検出する周期を短くすることなく（つまり、送信処理手段の負荷を増大させることなく）、確実にローレベルを検出することができる。
【００１８】
ＨＤＭＩのホットプラグ信号の検出においては、ローレベルへの反転を見落とすとソース機器とシンク機器（またはリピータ機器）との間のコンテンツデータの送受信や各種設定処理等に支障をきたすというホットプラグ信号検出における独特の問題が存在しているが、本発明では制御手段が必要に応じてローレベルの期間を延長しているので、このような問題を解決できるというきわめて優れた効果を得ることができる。
【発明を実施するための最良の形態】
【００１９】
以下、本発明の好ましい実施形態によるホットプラグ信号検出装置について、ホットプラグ信号検出装置が適用されるソース機器１を例に説明するが、本発明はこれらの実施形態には限定されない。
【００２０】
［ＡＶシステムの構成］
図１は、コンテンツデータを供給するソース機器１と、コンテンツデータを受け取る受信機器であるシンク機器２とを備えるＡＶシステム１０を示す概略ブロック図である。ソース機器１は、たとえば、ＤＶＤプレーヤ、ＢＤプレーヤ、ＨＤＤＶＤプレーヤ、ＨＤＤプレーヤ等である。シンク機器２は、たとえば、ＬＣＤやＰＤＰ等である。ソース機器１およびシンク機器２は、ＨＤＭＩ規格に準拠した機器である。
【００２１】
ソース機器１とシンク機器２とは、デジタル伝送路であるＨＤＭＩ（High-Definition Multimedia Interface）ケーブル３を介して接続される。ＨＤＭＩケーブル３は、２つの信号線（ＴＭＤＳチャネル、ホットプラグチャネル）を含む。ＴＭＤＳ（Transition Minimized Differential Signaling）チャネルは、ソース機器１からシンク機器２にＨＤＭＩ規格に準拠したコンテンツデータを送信するためのチャネルである。ホットプラグチャネルは、シンク機器２からソース機器１にホットプラグ信号（Hot Plug Detect Signal）を出力するためのチャネルである。ホットプラグ信号は、シンク機器２からソース機器１にシンク機器の設定変更等（例えば、セレクタの切換、ＨＤＭＩリンクの切断等）を通知するための信号である。ホットプラグ信号は、通常ハイレレベルであり、通知を行うときに一定期間ローレベルに反転し、その後ハイレベルに反転する。ＨＤＭＩケーブル３はさらに、図示しないディスプレイデータチャネル（Display Data Channel：ＤＤＣ）を含む。ＤＤＣは、シンク機器２に関する情報（ＥＤＩＤ：Extended Display Identification Data）をソース機器１が取得するためのチャネルである。
【００２２】
［ソース機器］
ソース機器１は、ドライブ１１と、送信処理部１３と、制御部１４と、コネクタ１６とを備える。ドライブ１１は、ＤＶＤ（Digital Versatile Disk）や、ＢＤ（Blue-ray Disc）、ＨＤＤＶＤ（High
Definition DVD）、ＣＤ等の記憶媒体１２を駆動する。
【００２３】
送信処理部１３は、ドライブ１１に格納された記憶媒体１２からコンテンツデータを読み出し、ＨＤＭＩ規格に準拠したデータ（以下、ＨＤＭＩデータという）に変換する。送信処理部１３はさらに、ＴＭＤＳチャネルを介してＨＤＭＩデータをシンク機器２に送信する。
【００２４】
送信処理部１３は、ホットプラグ信号がハイレベルのとき、コンテンツデータをＴＭＤＳチャネルに出力し、ホットプラグ信号がローレベルのとき、これらのデータのＴＭＤＳチャネルへの出力を停止する。また、送信処理部１３は、ホットプラグ信号がローレベルになったときに、ＨＤＭＩリンクの切断処理を行い、その後ハイレベルになったとき、シンク機器２からＥＤＩＤを取得し、ＨＤＭＩの設定を行い、ＨＤＭＩリンクの確立を行う。
【００２５】
制御部１４は、ソース機器１全体を制御し、具体的には、ドライブ１１および送信処理部１３を制御する。
【００２６】
［シンク機器］
シンク機器２は、コネクタ２１と、受信処理部２２と、制御部２３と、ディスプレイ２５と、スピーカ２６とを備える。
【００２７】
受信処理部２２は、ＴＭＤＳチャネルを介して送信されたコンテンツデータから映像データを生成し、映像データをディスプレイ２５に送信する。受信処理部２２はまた、送信されたコンテンツデータから音声データを生成し、音声データをスピーカ２６に送信する。
【００２８】
制御部２３は、シンク機器２全体を制御し、具体的には、受信処理部２２、ディスプレイ２５、スピーカ２６を制御する。制御部２３はシンク機器２全体を制御する。制御部２３はさらに、ソース機器１に設定変更等を通知する際に、ホットプラグ信号をローレベルに設定する。
【００２９】
［ホットプラグ信号検出装置］
図２は、ソース機器１におけるホットプラグ信号検出装置を説明するブロック図である。ホットプラグ信号検出装置は、送信処理部１３および制御部１４を有する。ホットプラグ信号検出装置は、必要に応じて、後述する電圧変換部をさらに有する。送信処理部１３は、代表的にはＭＰＥＧチップによって構成されている。ＭＰＥＧチップは、コンテンツデータのＨＤＭＩデータへの変換の他に、ＤＶＤディスクから読み出したＭＰＥＧデータのデコード処理や、制御部１４との間の通信処理などの各種処理を実行する。制御部１４は、代表的には、図示しない表示部等を制御するシステムコントローラによって構成されている。
【００３０】
送信処理部１３は、制御部１４からホットプラグ信号が入力されるホットプラグ入力端子ＨＰＤｉｎを有している。制御部１４は、シンク機器２からのホットプラグ信号が入力されるＡＤ入力端子（アナログ−デジタル変換入力端子）ＡＤ１と、ホットプラグ信号を送信処理部１３に出力するホットプラグ出力端子ＨＰＤｏｕｔとを有している。
【００３１】
制御部１４は、ＡＤ入力端子ＡＤ１を介してシンク機器２からホットプラグ信号が入力される。ホットプラグ信号のハイレベルは、２．０Ｖ〜５．３Ｖの電圧値であり、シンク機器２によって異なっている。同様に、ホットプラグ信号のローレベルは、２．０Ｖ未満の電圧値であり、シンク機器２によって異なっている。そのため、制御部１４は、ホットプラグ信号をＡＤ変換して、そのデジタル値からホットプラグ信号がハイレベルであるか、ローレベルであるかを判断する。制御部１４は、ハイレベルまたはローレベルの判断結果に基づいて、入力されたホットプラグ信号を所定のハイレベルまたは所定のローレベルの２値のホットプラグ信号に変換して、送信処理部１３に出力する。また、制御部１４は、ホットプラグ信号のローレベルの期間が所定期間よりも短い場合には、ローレベルの期間を所定期間まで延長してホットプラグ信号を出力する。
【００３２】
ホットプラグ出力端子ＨＰＤｏｕｔは、抵抗Ｒ１７およびＲ２１からなる電圧変換部を介して、ホットプラグ入力端子ＨＰＤｉｎに接続されている。制御部１４と送信処理部１３とで、対応するホットプラグ信号の電圧値が異なっている場合、制御部１４から送信処理部１３にホットプラグ信号を出力した際に、次のような問題が発生する。例えば、制御部１４の対応するホットプラグ信号のハイレベルが５Ｖであり、送信処理部１３の対応するホットプラグ信号のハイレベルが３Ｖであれば、制御部１４がハイレベル（５Ｖ）のホットプラグ信号を送信処理部１３に出力すると、送信処理部１３が５Ｖのハイレベルに対応できずに過電圧により破損する可能性がある。そのため、抵抗Ｒ１７および抵抗Ｒ２１で分圧することによって、制御部１４からのホットプラグ信号のハイレベルを例えば３Ｖに変換して、送信処理部１３に出力するようにしている。これにより、送信処理部１３の過電圧による破損を防止することができる。
【００３３】
同様に、ＡＤ入力端子ＡＤ１は、抵抗Ｒ２２およびＲ２３からなる電圧変換部を介して、コネクタ１６に接続されている。シンク機器２から入力されるホットプラグ信号のハイレベルと、制御部１４の対応するホットプラグ信号のハイレベルとが異なっている場合、制御部１４にホットプラグ信号が入力される際、次のような問題が発生する。例えば、制御部１４の対応するホットプラグ信号のハイレベルが５Ｖであり、シンク機器２から入力されるホットプラグ信号のハイレベルが５．３Ｖであれば、制御部１４にハイレベル（５．３Ｖ）のホットプラグ信号が入力されると、制御部１４が過電圧により破損する可能性がある。そのため、抵抗Ｒ２２および抵抗Ｒ２３で分圧することによって、シンク機器２からのハイレベル（５．３Ｖ）のホットプラグ信号を例えば５Ｖの電圧に変換して、制御部１４に入力する。これにより、制御部１４の過電圧による破損を防止することができる。
【００３４】
抵抗Ｒ２２、Ｒ２３でホットプラグ信号を分圧することを考慮して、制御部１４のハイレベル／ローレベル検出の閾値は、ハイレベルが２．０Ｖ〜５．３Ｖであるので、２×Ｒ２３／（Ｒ２２＋Ｒ２３）以下でこの値にできるだけ近い値に設定されている。
【００３５】
［ホットプラグ信号検出装置の動作］
以上の構成を有するホットプラグ信号検出装置の動作を図２〜図４を参照して説明する。図３は、ＡＤ入力端子ＡＤ１に入力されるホットプラグ信号（図３（ａ））と、ホットプラグ出力端子ＨＰＤｏｕｔから出力されるホットプラグ信号（図３（ｂ））との関係を示すタイムチャートである。図４は、制御部１４の動作を示すフローチャートである。
【００３６】
図４を参照して、制御部１４は、ＡＤ入力端子ＡＤ１に入力されるホットプラグ信号を所定間隔で監視しており、ホットプラグ信号がハイレベルからローレベルに反転したか否かを判断している（Ｓ１）。すなわち、ホットプラグ信号がＡＤ入力端子ＡＤ１に入力されると、制御部１４は、ホットプラグ信号をデジタル値に変換し、そのデジタル値が所定の閾値未満であるか否かに基づいて、ホットプラグ信号がローレベルに反転したか否かを判断する。閾値以上であればホットプラグ信号がハイレベルであると判断され（Ｓ１：ＮＯ）、閾値未満であればホットプラグ信号がローレベルであると判断される（Ｓ１：ＹＥＳ）。
【００３７】
ホットプラグ信号のローレベルを検出すると（Ｓ１：ＹＥＳ）、制御部１４は、ホットプラグ信号のローレベルの期間を算出するため、ホットプラグ信号がローレベルに反転すると同時に（図３（ａ）の時刻ｔ１、ｔ３）、内蔵するタイマのカウントを開始し（Ｓ２）、ホットプラグ信号がハイレベルに反転したことを検出するまでタイマのカウントを継続する（Ｓ３でＮＯを経由してＳ２）。
【００３８】
続いて、制御部１４は、ホットプラグ信号がハイレベルに反転したことを検出すると（Ｓ３：ＹＥＳ、図３（ａ）の時刻ｔ２、ｔ４）、タイマのカウントを終了し、タイマのカウント値に基づいてホットプラグ信号のローレベルの期間Ｔｉｎを算出する（Ｓ４）。
【００３９】
制御部１４は、ホットプラグ信号のローレベルの期間Ｔｉｎが、制御部１４に予め設定されている最小出力パルス幅Ｔｏｕｔ以上であるか否かを判断する（Ｓ５）。ここで、最小出力パルス幅Ｔｏｕｔは、制御部１４がホットプラグ出力端子ＨＰＤｏｕｔから出力するホットプラグ信号のローレベルの期間の最小値であり、送信処理部１３が確実に検出できるホットプラグ信号のローレベルの期間の最小値である最小パルス幅Ｔｄｍｉｎ（この値は、ホットプラグ信号を検出する周期である）よりも大きな値に設定されている。例えば、最小パルス幅Ｔｄｍｉｎが２００ｍｓ（ミリ秒、以下同様）である場合に、最小出力パルス幅Ｔｏｕｔは３００ｍｓに設定されている。
【００４０】
ホットプラグ信号のローレベルの期間Ｔｉｎが最小出力パルス幅Ｔｏｕｔ以上である場合（Ｓ５：ＹＥＳ）、ＡＤ入力端子ＡＤ１に入力されたローレベルの期間であっても、送信処理部１３がホットプラグ信号のローレベルを検出可能であると判断される。その結果、制御部１４は、ＡＤ入力端子ＡＤ１に入力された期間と同じ期間のローレベルのホットプラグ信号をホットプラグ出力端子ＨＰＤｏｕｔから出力する（Ｓ６）。例えば、図３（ａ）のｔ１〜ｔ２に示すとおり、入力されたホットプラグ信号のローレベルが３５０ｍｓであった場合には、制御部１４は、図３（ｂ）のｔ５〜ｔ６に示すとおり、３５０ｍｓのローレベルのホットプラグ信号を出力する。
【００４１】
送信処理部１３は、ホットプラグ入力端子ＨＰＤｉｎから３５０ｍｓのローレベルのホットプラグ信号を入力すると、ローレベルのホットプラグ信号を検出して、対応する処理を実行する。
【００４２】
一方、ホットプラグ信号のローレベルの期間Ｔｉｎが最小出力パルス幅Ｔｏｕｔ未満である場合（Ｓ５：ＮＯ）、ＡＤ入力端子ＡＤ１に入力されたホットプラグ信号のローレベルの期間では、送信処理部１３が検出可能な最小パルス幅Ｔｄｍｉｎを下回り、送信処理部１３がホットプラグ信号のローレベルを検出できない可能性があると判断される。その結果、制御部１４は、ホットプラグ信号のローレベルの期間を、ＡＤ入力端子ＡＤ１に入力されたローレベルの期間から、最小出力パルス幅Ｔｏｕｔと同じ期間に変更して、ローレベルのホットプラグ信号をホットプラグ出力端子ＨＰＤｏｕｔから出力する（Ｓ７）。最小出力パルス幅Ｔｏｕｔは、送信処理部１３が検出可能な最小パルス幅Ｔｄｍｉｎよりも大きく設定されているので、ホットプラグ信号のローレベルの期間をＴｏｕｔまで延長することにより、送信処理部１３が確実にローレベルを検出することができる。例えば、図３（ａ）のｔ３〜ｔ４に示すとおり、入力されたホットプラグ信号のローレベルが１００ｍｓである場合には、制御部１４は、図３（ｂ）のｔ７〜ｔ８に示すとおり、３００ｍｓのローレベルのホットプラグ信号を出力する。
【００４３】
送信処理部１３は、シンク機器２によって設定されたホットプラグ信号のローレベルの期間が送信処理部１３で検出可能な期間よりも短いに関わらず、ホットプラグ入力端子ＨＰＤｉｎから３００ｍｓのローレベルのホットプラグ信号が入力されるので、ローレベルのホットプラグ信号を検出して、対応する処理を実行することができる。
【００４４】
以上のように、本実施形態では、制御部１４のＡＤ入力端子ＡＤ１にシンク機器２からのホットプラグ信号が入力され、ホットプラグ信号をＡＤ変換して、デジタル値からハイレベルまたはローレベルを判断しているので、従来のようなホットプラグ検出回路が不要になり、回路構成を簡略化できる。また、ホットプラグ信号のローレベルがＴｏｕｔよりも小さい場合は、ローレベルをＴｏｕｔまで延長して出力しているので、送信処理部１４はホットプラグ信号を検出する周期を短くすることなく、確実にローレベルを検出することができる。
【００４５】
［他の実施形態］
ホットプラグ信号検出装置は、ソース機器だけでなく、ＡＶアンプやＡＶレシーバ等のリピータ機器にも適用することが可能である。この場合、リピータ機器はシンク機器と接続され、シンク機器の出力するホットプラグ信号をリピータ機器が上述したホットプラグ信号検出装置によって検出する。また、ソース機器がリピータ機器と接続され、上記のホットプラグ信号検出装置によって、リピータ機器が出力するホットプラグ信号を検出するようにしてもよい。また、本発明は、ＨＤＭＩ規格だけではなくＤＶＩ（Digital Visual Interface）規格のホットプラグ信号を検出するホットプラグ信号検出装置にも適用され得るが、上記と同様であるので説明を援用する。
【００４６】
また、図４のＳ１において、制御部１４におけるホットプラグ信号のローレベルへの反転の検出は、複数回（例えば、２回）連続してローレベルを検出して初めて、ホットプラグ信号がローレベルに反転したことを検出し、Ｓ２へ進むようにしてもよい。この場合、ホットプラグ信号のチャタリング（瞬間的にローレベルとハイレベルトとを繰り返すこと）を、誤ってローレベルへの完全な反転と判断することを防止できる。つまり、チャタリングを誤ってホットプラグ信号のローレベルへの完全な反転であると判断してしまうと、制御部１４はローレベルの期間をＴｏｕｔまで延長して送信処理部１３に出力してしまい、送信処理部１３で誤動作が生じる可能性があるが、本例ではこのような問題を解決することができる。
【００４７】
以上、本発明の好ましい実施形態を説明したが、本発明はこれらの実施形態には限定されない。例えば、制御部１４の対応するホットプラグ信号のハイレベルが３Ｖであり、送信処理部１４の対応するホットプラグ信号のハイレベルが５Ｖであれば、送信処理部１４はハイレベルを誤ってローレベルと判断する可能性がある。そこで、電圧変換部で制御部１４からのホットプラグ信号の電圧値を高く変換することにより、このような問題を解決できる。ＡＤ入力端子ＡＤ１に接続されている電圧変換部についても同様である。なお、本実施形態のホットプラグ信号検出装置の動作をコンピュータに実行させるためのプログラムおよびこのプログラムが記録された記録媒体という形態、あるいは、ホットプラグ信号検出方法という形態で提供されてもよい。
【産業上の利用可能性】
【００４８】
本発明は、ＨＤＭＩ規格に準拠したＤＶＤプレーヤ等のソース機器、または、ＡＶアンプ等のリピータ機器に特に好適に採用され得る。
【図面の簡単な説明】
【００４９】
【図１】本発明の好ましい実施形態によるＡＶシステム１０を示す図である。
【図２】本発明の好ましい実施形態によるホットプラグ信号検出装置を示すブロック図である。
【図３】ホットプラグ信号を示すフローチャートである。
【図４】制御部の動作を示すフローチャートである。
【図５】従来のホットプラグ信号検出装置を示すブロック図である。
【図６】従来のホットプラグ信号検出装置を示すブロック図である。
【符号の説明】
【００５０】
１              ソース機器
２              シンク機器
１３            送信処理部
１４            制御部
【図１】
2007329594.tif 000003
【図２】
2007329594.tif 000004
【図３】
2007329594.tif 000005
【図４】
2007329594.tif 000006
【図５】
2007329594.tif 000007
【図６】
2007329594.tif 000008
【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
外部機器からのＨＤＭＩ規格またはＤＶＩ規格のホットプラグ信号が入力されるＡＤ入力端子、および、該入力されたホットプラグ信号に応答してホットプラグ信号を出力するためのホットプラグ出力端子を有する制御手段と、
該ホットプラグ出力端子に接続されており該ホットプラグ出力端子からのホットプラグ信号が入力されるホットプラグ入力端子を有し、該ホットプラグ入力端子に入力されたホットプラグ信号のハイレベルまたはローレベルを検出する送信処理手段とを備え、
該制御手段が、該ＡＤ入力端子に入力されたホットプラグ信号をデジタル値に変換し、該デジタル値を所定の閾値と比較することにより該入力されたホットプラグ信号のレベルを検出するレベル検出手段と、
該入力されたホットプラグ信号の一方のレベルの期間が所定期間以上であるか否かを判断する判断手段と、
該入力されたホットプラグ信号の該一方のレベルの期間が該所定期間以上である場合に、該一方のレベルの期間を変更せずに該一方のレベルのホットプラグ信号を出力し、該入力されたホットプラグ信号の該一方のレベルの期間が該所定期間未満である場合に、該一方のレベルの期間を該所定期間に変更して該一方のレベルのホットプラグ信号を出力するホットプラグ信号出力手段とを有する、ホットプラグ信号検出装置。
【請求項２】
前記ホットプラグ出力端子と前記ホットプラグ入力端子との間に、前記制御手段から出力されるホットプラグ信号の電圧値を変換する電圧変換手段が接続されている、請求項１に記載のホットプラグ信号検出装置。
【請求項３】
前記レベル検出手段が、ホットプラグ信号が前記一方のレベルに反転したことを検出する際に、複数回連続して該一方のレベルを検出して初めて、該一方のレベルに反転したことを判断する、請求項１または２に記載のホットプラグ信号検出装置。
【請求項４】
ホットプラグ信号の前記一方のレベルがローレベルであり、他方のレベルがハイレベルである、請求項１〜３のいずれかに記載のホットプラグ信号検出装置。
【請求項５】
請求項１〜４のいずれかに記載のホットプラグ信号検出装置を備える、ソース機器。
【請求項６】
請求項１〜４のいずれかに記載のホットプラグ信号検出装置を備える、リピータ機器。
【請求項７】
外部機器からのＨＤＭＩ規格またはＤＶＩ規格のホットプラグ信号が入力される入力端子、および、該入力されたホットプラグ信号に応答してホットプラグ信号を出力するためのホットプラグ出力端子を有する制御手段と、
該ホットプラグ出力端子に接続されており該ホットプラグ出力端子からのホットプラグ信号が入力されるホットプラグ入力端子を有し、該ホットプラグ入力端子に入力されたホットプラグ信号のハイレベルまたはローレベルを検出する送信処理手段とを備え、
該制御手段が、該入力端子に入力されたホットプラグ信号のレベルを検出するレベル検出手段と、
該入力されたホットプラグ信号の一方のレベルの期間が所定期間以上であるか否かを判断する判断手段と、
該入力されたホットプラグ信号の該一方のレベルの期間が該所定期間以上である場合に、該一方のレベルの期間を変更せずに該一方のレベルのホットプラグ信号を出力し、該入力されたホットプラグ信号の該一方のレベルの期間が該所定期間未満である場合に、該一方のレベルの期間を該所定期間に変更して該一方のレベルのホットプラグ信号を出力するホットプラグ信号出力手段とを有する、ホットプラグ信号検出装置。